(57)【要約】【課題】  ゴルフのスイングを矯正するスイング矯正器具を提供する。【解決手段】  本発明のゴルフのスイングを矯正するゴルフのスイング矯正器具１０は、ボールとユーザの間の位置またはボールを挟んでユーザと対向する位置の少なくとも一方に配置されるとともに、良好なスイングのボールのインパクト前後におけるクラブ３４のヘッド３６の軌跡と略平行な傾斜面１８、２０を有することを特徴とする。【選択図】図３
2007029148.tif 000002
【特許請求の範囲】
【請求項１】
ゴルフのスイングを矯正するゴルフのスイング矯正器具であって、
ボールとユーザの間の位置またはボールを挟んでユーザと対向する位置の少なくとも一方に配置されるとともに、良好なスイングのボールのインパクト前後におけるクラブのヘッドの軌跡と略平行な傾斜面を有することを特徴とするゴルフのスイング矯正器具。
【請求項２】
上記傾斜面がボールとユーザの間の位置とボールを挟んでユーザと対向する位置にそれぞれ１つずつあって、２つの上記傾斜面間の距離が調整可能に構成されていることを特徴とする請求項１に記載のゴルフのスイング矯正器具。
【請求項３】
上記傾斜面の水平方向に対する角度が調整可能に構成されていることを特徴とする請求項１または２に記載のゴルフのスイング矯正器具。
【請求項４】
折りたたみ可能な板状部材から構成され、
板状部材を部分的に折ることにより上記傾斜面が形成されることを特徴とする請求項１〜３のいずれか一に記載のゴルフのスイング矯正器具。
【請求項５】
地に置かれたボールを打撃可能とするための開口部を有することを特徴とする請求項４に記載のゴルフのスイング矯正器具。
【発明の詳細な説明】
【技術分野】
【０００１】
本発明は、ゴルフのスイングを矯正するためのスイング矯正器具に関する。
【背景技術】
【０００２】
良好なゴルフのスイングを習得するために、スイングを矯正するものが種々知られている。これらには、装着してスイングを矯正する矯正装着具や、良好にスイングするように構成されている（例えば、良好な姿勢でスイングが行われていないことをユーザに知らせる）特殊な形状の矯正用のクラブ（またはクラブに取り付けられるもの）が多い。矯正装着具として、例えば特許文献１のものがある。また、矯正用のクラブ（クラブに取り付けられるもの）として、例えば特許文献２のものがある。
【特許文献１】特開２００４−２２９７５４公報
【特許文献２】特開２００４−３１３７７６公報
【発明の開示】
【発明が解決しようとする課題】
【０００３】
しかしながら、矯正装着具を装着している場合や矯正用のクラブを使用している場合は良好なスイングが行えるものの、矯正装着具を装着せずにまたは実際に使用されるクラブを使用したときに良好なスイングが行えないことがある。
【０００４】
そこで、本発明は、実際にゴルフを行うように、すなわち矯正装着具で身体が拘束されずに実際に使用するクラブを用いてスイングを矯正することができるゴルフのスイング矯正器具を提供することを目的とする。
【課題を解決するための手段】
【０００５】
上記目的を達成するために、本発明のゴルフのスイング矯正器具は、
ボールとユーザの間の位置またはボールを挟んでユーザと対向する位置の少なくとも一方に配置されるとともに、良好なスイングのボールのインパクト前後におけるクラブのヘッドの軌跡と略平行な傾斜面を有することを特徴とする。
【０００６】
また、本発明のゴルフのスイング矯正器具は、
上記傾斜面がボールとユーザの間の位置とボールを挟んでユーザと対向する位置にそれぞれ１つずつあって、２つの上記傾斜面間の距離が調整可能に構成されていることを特徴とする。
【０００７】
さらに、本発明のゴルフのスイング矯正器具は、
上記傾斜面の水平方向に対する角度が調整可能に構成されていることを特徴とする。
【０００８】
本発明の一実施形態に係るゴルフのスイング矯正器具は、
折りたたみ可能な板状部材から構成され、
板状部材を部分的に折ることにより上記傾斜面が形成されることを特徴とする。
【０００９】
また、本発明の一実施形態に係るゴルフのスイング矯正器具は、
地に置かれたボールを打撃可能とするための開口部を有することを特徴とする。
【発明の効果】
【００１０】
本発明によれば、ユーザは、実際にゴルフを行うように、すなわち矯正装着具で身体が拘束されずに実際に使用するクラブを用いてスイングを矯正される。
【発明を実施するための最良の形態】
【００１１】
本発明に係るゴルフのスイング矯正器具は、ボールが飛翔すべき方向（ユーザがボールを飛ばしたい方向であって、以下、「飛翔方向」と称する。）とボールのインパクト前後におけるクラブのヘッドの移動方向が一致するようにスイングを矯正するものである。
【００１２】
良好なスイングのボールのインパクト前後において、クラブのヘッドは上方から見て略飛翔方向に移動する。これに対し、飛翔方向にストレートの弾道でボールを飛ばすことを試みてスイングしたのにもかかわらず、ボールがスライスするまたはフックするような好ましくないスイングにおいては、クラブのヘッドはボールのインパクト前後において上方から見ると飛翔方向に移動していない。これらのことに着目し、本発明に係るゴルフのスイング矯正器具は、ボールのインパクト前後においてクラブのヘッドが飛翔方向に移動するようにスイングを矯正する。
【００１３】
図１と図２に本発明の一実施形態に係る異なる視点から見たゴルフのスイング矯正器具を示す。また、図３に、ユーザによって使用中のスイング矯正器具を示す。
【００１４】
図１〜３において、符号１０で示されるスイング矯正器具は、折りたたみ可能な板状の部材で構成されている。また、スイング矯正器具１０は、クラブが衝突しても損傷しないように、例えばウレタンなどの弾性材料から作製されている。
【００１５】
図３に示すように、スイング矯正器具１０は、部分的に折られて使用されるように構成されている。具体的に言うと、スイング矯正器具１０は、スイング矯正器具１０の長尺方向（板状部材の長尺方向）と直交する方向に伸びる折り目１２、１４、１６が形成されており、そこで折られて使用される。また、スイング矯正器具１０は、非使用時、折り目１２、１４、１６で４つ折りにして保管されるようにしてある。
【００１６】
スイング矯正器具１０は、折り目１２、１４、１６で所定の姿勢になるように折られて使用される。具体的に言うと、スイング矯正器具１０は、互いに平行な２つの傾斜面（折り目１２、１４、１６で折られて起こされた部分の面）１８、２０が形成されるように折り目１２、１４、１６で折られる。スイング矯正器具１０において、傾斜面１８、２０を有する傾斜部２２、２４が、後述するようにスイングを矯正する役割を果たす。
【００１７】
使用時、傾斜部２２は、スイング矯正器具１０の一端側部分２６によって支持される（傾斜を維持されている。）。また、傾斜部２４は、スイング矯正器具１０の他端側部分２８に結ばれた紐３０によって支持される（傾斜を維持されている。）。
【００１８】
傾斜部２２と２４（傾斜面１８と２０）の間には、スイング中にクラブのヘッドが横切る空間３２が形成されている。図３に示すように、スイング練習において、ユーザは、傾斜部２２と２４の間にボールが置かれていると想定するまたは実際にボールを置き、傾斜部２２の傾斜側（倒れている側）に立ち、折り目１２，１４，１６が伸びる方向をボールの飛翔方向とし、空間３２をクラブ３４のヘッド３６が飛翔方向に横切るようにスイングする。
【００１９】
傾斜部２２、２４は、水平（厳密には、ユーザが立つ地）に対して所定の角度で傾斜している。傾斜部２２、２４は、良好なスイングのボールのインパクト前後におけるクラブ３４のヘッド３６の略円弧状の軌跡を含む平面と傾斜面１８、２０が略平行になるような角度で傾斜している。別の観点からいえば、２つの傾斜部２２、２４は、図３に示すように、アドレス開始時におけるクラブ３４のシャフト３８の伸びる方向と傾斜面１８、２０が略平行になるような角度で傾斜している。
【００２０】
２つの傾斜部２２、２４の水平に対する傾斜角度は、折り目１２、１４での折り方（折り目１２、１４を挟むスイング矯正器具１０の２つの部分がなす角度）や紐３０の長さを変えることによって調整される。ユーザは、使用するクラブの長さやユーザ自身の身長に合わせて２つの傾斜部２２、２４の角度を調整する。
【００２１】
また、スイング矯正器具１０は、傾斜部２２と２４の間の距離が調整可能に構成されている。図２に示すように、傾斜部２２、２４は、２つの連結部材４０ａ、４０ｂで連結されることにより平行を維持されており、この連結部材４０ａ、４０ｂの長さを変えることによって傾斜部２２と２４の間の距離が調整される。各連結部材４０ａ、４０ｂは、傾斜部２２、２４それぞれに一端が接合された帯状の部材４２ａ、４２ｂ、４４ａ、４４ｂで構成されており、帯状部材４２ａ、４２ｂ、４４ａ、４４ｂの他端それぞれに設けられた面ファスナー４６、４８が係合することにより連結している。面ファスナー４８に対する面ファスナー４６の係合位置を調整することで、連結部材４０ａ、４０ｂの長さが変更される。ユーザは、傾斜部２２と２４の間の距離を技量に応じて調整する。
【００２２】
さらに、スイング矯正器具１０は、地面にティーアップされたボール（または地面に直接置かれたボール）を打つことを可能とするために、傾斜部２２と２４の間に開口部５０が形成されている。本実施の形態のスイング矯正器具１０において、開口部５０は、連結部材４０ａと４０ｂの間に形成されている。
【００２３】
次に、スイング矯正器具１０の使用方法について説明する。ここでは、スイング矯正器具１０の機能や効果をより理解するために、スイング矯正器具１０を用いたスイングの練習方法について説明する。
【００２４】
まず、ユーザはスイング時の立ち位置とボールの飛翔方向を決める。ユーザ側に傾斜部２２が位置するとともに、折り目１２、１４、１６の伸びる方向が飛翔方向と一致するようにスイング矯正器具１０が配置される。つぎに、２つの傾斜部２２、２４の間にボールが置かれていると想定するまたは開口部５０介して見える地に実際にボールを置き、アドレス開始時の姿勢をとる。このとき、クラブ３４のシャフト３８の伸びる方向と傾斜面１８が略平行になるように、傾斜部２２の水平に対する角度を調整する。次に、傾斜部２２の傾斜面１８と傾斜部２４の傾斜面２０が略平行になるように、紐３０の長さを調整する。このようにして、スイング練習前の準備が終了する。
【００２５】
ユーザは、傾斜面１８と２０の間の空間３２をクラブ３４のヘッド３６が飛翔方向に横切るようにスイング練習を行う。このとき、ユーザは想定しているボール（または置いているボール）と２つの傾斜部２２，２４を視界に入れつつ、クラブ３４のヘッド３６を傾斜面１８、２０と略平行に移動させることを意識してスイングする。このようなスイングを繰り返すことにより、ボールのインパクト前後においてクラブ３４のヘッド３６が飛翔方向に移動する良好なスイングが習得される。
【００２６】
ある程度の良好なスイングを習得した後、ユーザは、連結部材４０ａ、４０ｂの長さを小さくして空間３２の幅を小さくし、クラブ３４のヘッド３６が該空間３２を横切るようにスイング練習を行う。幅が狭い空間３２をクラブ３４のヘッド３６が横切るようにスイングするには、該空間３２にヘッド３６が入る前から（ヘッド３６が傾斜部２２、２４に衝突しないように）ヘッド３６の軌跡を意識してスイングしなければならない。また、ヘッド３６が傾斜面１８、２０と接触しないように空間３２から出るように意識してスイングしなければならない。したがって、テイクバックからフィニッシュまでクラブ３４のヘッド３６の軌跡を意識してスイングする必要がある。このようなスイングを繰り返すことにより、さらに安定した良好なスイングが習得される。
【００２７】
また、ユーザは、傾斜部２２、２４の水平に対する角度を調整することにより、シャフトの長さが異なる複数のクラブでスイング練習を行う。したがって、あらゆるクラブにおいて良好なスイングが習得される。
【００２８】
本実施形態のスイング矯正器具によれば、実際にゴルフを行うように、すなわち実際に使用するクラブを用いてユーザはスイングを矯正される。
【００２９】
以上、上述の実施形態を挙げて本発明に係るゴルフのスイング矯正器具を説明したが、本発明はこれに限定されない。
【００３０】
広義には、本発明に係るスイング矯正器具は、良好なスイングのボールのインパクト前後におけるクラブのヘッドの軌跡を意識させるための傾斜面、すなわち良好なスイングのボールのインパクト前後におけるクラブのヘッドの軌跡と略平行な傾斜面が、ユーザとボールの間の位置、またはボールを挟んでユーザと対向する位置の少なくとも一方にあればよい。したがって、本発明に係るスイング矯正器具は、上述の実施形態のように折りたたみ可能な板状部材でなくてもよく、例えば互いに平行な傾斜した側面を有しつつ飛翔方向に伸びる溝が形成されたブロック状の部材であってもよい。
【図面の簡単な説明】
【００３１】
【図１】本発明に係るゴルフのスイング矯正器具を示す図である。
【図２】図１と異なる視点から見たスイング矯正器具を示す図である。
【図３】ユーザによって使用中のスイング矯正器具を示す図である。
【符号の説明】
【００３２】
１０  スイング矯正器具
１８  傾斜面
２０  傾斜面
３４  クラブ
３６  ヘッド
【図１】
2007029148.tif 000003
【図２】
2007029148.tif 000004
【図３】
2007029148.tif 000005